(57)【特許請求の範囲】
【請求項１】
二酸化炭素の濃度の基準変化として、空間の広さ、空間の換気量及び空間の利用用途をパラメータとした、所定の空間に１人が居る場合の二酸化炭素濃度の単位時間当たりの変化量を示す上昇率に関する基準変化情報を記憶する記憶部と、
所定の空間において測定される二酸化炭素の濃度を受け付ける受付部と、
前記受付部によって受け付けた、第１時間における二酸化炭素の濃度と、前記第１時間よりも時間的に前の第２時間における二酸化炭素の濃度とに基づいて、濃度の変化を示す上昇率を取得する取得部と、
前記取得部によって取得される二酸化炭素の濃度の上昇率を、前記記憶部に記憶される基準変化情報に基づく上昇率で除算することにより、所定の空間内に居る人の人数を推定する推定部と、
前記推定部によって推定される人数を出力するよう制御する出力制御部と、
を備える情報処理装置。
【請求項２】
前記推定部は、前記取得部によって取得される、相対的に初期の段階における二酸化炭素の濃度の変化を示す上昇率を、前記記憶部に記憶される基準変化情報に基づく、二酸化炭素の濃度の変化が相対的に初期の段階における上昇率で除算することにより、所定の空間内に居る人の人数を推定する
請求項１に記載の情報処理装置。
【請求項３】
前記出力制御部は、前記推定部によって推定される人数が予め設定される第１閾値を超える場合に警告を出力するよう制御する
請求項１又は２に記載の情報処理装置。
【請求項４】
前記出力制御部は、前記取得部によって取得される二酸化炭素の濃度の変化を示す上昇率に基づいて、二酸化炭素の濃度が予め設定される第２閾値を超えると推定される場合に警告を出力するよう制御する
請求項１〜３のいずれか１項に記載の情報処理装置。
【請求項５】
前記受付部は、所定の間隔で所定の空間で測定される二酸化炭素の濃度を受け付け、
前記取得部は、前記受付部によって受ける時間的に複数の二酸化炭素の濃度に基づいて、単位時間当たりの二酸化炭素の濃度の変化として上昇率を取得する
請求項１〜４のいずれか１項に記載の情報処理装置。
【請求項６】
二酸化炭素の濃度の基準変化として、空間の広さ、空間の換気量及び空間の利用用途をパラメータとした、所定の空間に１人が居る場合の二酸化炭素濃度の単位時間当たりの変化を示す上昇率に関する基準変化情報を記憶する記憶部と、
第１時間における二酸化炭素の濃度と、前記第１時間よりも時間的に前の第２時間における二酸化炭素の濃度とに基づいて、濃度の変化を示す上昇率を取得する取得部と、
前記取得部によって取得される二酸化炭素の濃度変化を示す上昇率を、前記記憶部に記憶される基準変化情報に基づく上昇率で除算することにより、所定の空間内に居る人の人数を推定する推定部と、
前記推定部によって推定される人数を出力するよう制御する出力制御部と、
を備える情報処理装置。
【請求項７】
情報を出力する出力部と、
所定の空間の二酸化炭素の濃度を測定して測定情報を出力する測定部と、
二酸化炭素の濃度の基準変化として、空間の広さ、空間の換気量及び空間の利用用途をパラメータとした、所定の空間に１人が居る場合の二酸化炭素濃度の単位時間当たりの変化を示す上昇率に関する基準変化情報を記憶する記憶部と、
測定情報に基づいて、第１時間における二酸化炭素の濃度と、前記第１時間よりも時間的に前の第２時間における二酸化炭素の濃度とを取得し、前記第１時間及び前記第２時間における濃度の変化を示す上昇率を取得する取得部と、
前記取得部によって取得される二酸化炭素の濃度変化を示す上昇率を、前記記憶部に記憶される基準変化情報に基づく上昇率で除算することにより、所定の空間内に居る人の人数を推定する推定部と、
前記推定部によって推定される人数を前記出力部から出力するよう制御する出力制御部と、
を備える情報処理システム。
【請求項８】
二酸化炭素の濃度の基準変化として、空間の広さ、空間の換気量及び空間の利用用途をパラメータとした、所定の空間に１人が居る場合の二酸化炭素濃度の単位時間当たりの変化を示す上昇率に関する基準変化情報を記憶する記憶部を有するコンピュータが、
所定の空間において測定される二酸化炭素の濃度を受け付ける受付ステップと、
前記受付ステップによって受け付けた、第１時間における二酸化炭素の濃度と、前記第１時間よりも時間的に前の第２時間における二酸化炭素の濃度とに基づいて、濃度の変化を示す上昇率を取得する取得ステップと、
前記取得ステップによって取得される二酸化炭素の濃度変化を示す上昇率を、前記記憶部に記憶される基準変化情報に基づく上昇率で除算することにより、所定の空間内に居る人の人数を推定する推定ステップと、
前記推定ステップによって推定される人数を出力するよう制御する出力制御ステップと、
を実行する情報処理方法。
【請求項９】
コンピュータに、
二酸化炭素の濃度の基準変化として、空間の広さ、空間の換気量及び空間の利用用途をパラメータとした、所定の空間に１人が居る場合の二酸化炭素濃度の単位時間当たりの変化を示す上昇率に関する基準変化情報を記憶する記憶機能と、
所定の空間において測定される二酸化炭素の濃度を受け付ける受付機能と、
前記受付機能によって受け付けた、第１時間における二酸化炭素の濃度と、前記第１時間よりも時間的に前の第２時間における二酸化炭素の濃度とに基づいて、濃度の変化を示す上昇率を取得する取得機能と、
前記取得機能によって取得される二酸化炭素の濃度変化を示す上昇率を、前記記憶機能に記憶される基準変化情報に基づく上昇率で除算することにより、所定の空間内に居る人の人数を推定する推定機能と、
前記推定機能によって推定される人数を出力するよう制御する出力制御機能と、
を実現させる情報処理プログラム。
【発明の詳細な説明】
【技術分野】
【０００１】
本発明は、情報処理装置、情報処理システム、情報処理方法及び情報処理プログラムに関する。
【背景技術】
【０００２】
従来から、室内の二酸化炭素の濃度を測定する技術が存在する。特許文献１に記載された技術は、室内の二酸化炭素の濃度を測定し、その室内に居る人の人数を推定している。
【先行技術文献】
【特許文献】
【０００３】
【特許文献１】特開２００８−３０４１２４号公報
【発明の概要】
【発明が解決しようとする課題】
【０００４】
二酸化炭素の濃度は、室内に人が居る場合には上昇するが、時間が経過するに従って定常値（略一定）になる。特許文献１に記載された技術は、二酸化炭素の定常値に基づいて室内に居る人の人数を推定している。しかしながら、室内により多くの人数が居る場合には二酸化炭素の濃度は相対的に上昇するため、室内の二酸化炭素を基準値以下に維持するためにはより早い段階で二酸化炭素の濃度に関連した警告を行う必要がある。すなわち、特許文献１に記載された技術は、二酸化炭素の濃度が定常値になるときに室内に居る人の人数を推定しているため、室内に居る人の人数によって二酸化炭素の濃度が基準値を超えてしまう恐れがある。
【０００５】
本発明は、二酸化炭素の濃度に基づいて早期に室内に居る人の人数を推定することができる情報処理装置、情報処理システム、情報処理方法及び情報処理プログラムを提供することを目的とする。
【課題を解決するための手段】
【０００６】
一態様の情報処理装置は、二酸化炭素の濃度の基準変化として、空間の広さ、空間の換気量及び空間の利用用途をパラメータとした、空間に１人が居る場合の二酸化炭素濃度の単位時間当たりの変化に関する基準変化情報を記憶する記憶部と、所定の空間において測定される二酸化炭素の濃度を受け付ける受付部と、受付部によって受け付けた、第１時間における二酸化炭素の濃度と、第１時間よりも時間的に前の第２時間における二酸化炭素の濃度とに基づいて、濃度の変化を取得する取得部と、取得部によって取得される二酸化炭素の濃度変化と、記憶部に記憶される基準変化情報とに基づいて、所定の空間内に居る人の人数を推定する推定部と、推定部によって推定される人数を出力するよう制御する出力制御部と、を備える。
【０００７】
一態様の情報処理装置では、取得部は、二酸化炭素の濃度の変化として、第１時間における二酸化炭素の濃度と、第２時間における二酸化炭素の濃度とに基づく二酸化炭素の濃度の上昇率を取得し、推定部は、取得部によって取得された二酸化炭素の濃度の上昇率と、記憶部に記憶される基準変化情報に記録される単位時間における二酸化炭素の上昇率とに基づいて、所定の空間内に居る人の人数を推定することとしてもよい。
【０００８】
一態様の情報処理装置では、出力制御部は、推定部によって推定される人数が予め設定される第１閾値を超える場合に警告を出力するよう制御することとしてもよい。
【０００９】
一態様の情報処理装置では、出力制御部は、取得部によって取得される二酸化炭素の濃度の変化に基づいて、二酸化炭素の濃度が予め設定される第２閾値を超えると推定される場合に警告を出力するよう制御することとしてもよい。
【００１０】
一態様の情報処理装置では、受付部は、所定の間隔で所定の空間で測定される二酸化炭素の濃度を受け付け、取得部は、受付部によって受ける時間的に複数の二酸化炭素の濃度に基づいて、単位時間当たりの二酸化炭素の濃度の変化量を取得することとしてもよい。
【００１１】
一態様の情報処理装置は、二酸化炭素の濃度の基準変化として、空間の広さ、空間の換気量及び空間の利用用途をパラメータとした、空間に１人が居る場合の二酸化炭素濃度の単位時間当たりの変化に関する基準変化情報を記憶する記憶部と、第１時間における二酸化炭素の濃度と、第１時間よりも時間的に前の第２時間における二酸化炭素の濃度とに基づいて、濃度の変化を取得する取得部と、取得部によって取得される二酸化炭素の濃度変化と、記憶部に記憶される基準変化情報とに基づいて、所定の空間内に居る人の人数を推定する推定部と、推定部によって推定される人数を出力するよう制御する出力制御部と、を備える。
【００１２】
一態様の情報処理システムは、情報を出力する出力部と、所定の空間の二酸化炭素の濃度を測定して測定情報を出力する測定部と、二酸化炭素の濃度の基準変化として、空間の広さ、空間の換気量及び空間の利用用途をパラメータとした、空間に１人が居る場合の二酸化炭素濃度の単位時間当たりの変化に関する基準変化情報を記憶する記憶部と、測定情報に基づいて、第１時間における二酸化炭素の濃度と、第１時間よりも時間的に前の第２時間における二酸化炭素の濃度とを取得し、第１時間及び第２時間における濃度の変化を取得する取得部と、取得部によって取得される二酸化炭素の濃度変化と、記憶部に記憶される基準変化情報とに基づいて、所定の空間内に居る人の人数を推定する推定部と、推定部によって推定される人数を出力部から出力するよう制御する出力制御部と、を備える。
【００１３】
一態様の情報処理方法では、二酸化炭素の濃度の基準変化として、空間の広さ、空間の換気量及び空間の利用用途をパラメータとした、空間に１人が居る場合の二酸化炭素濃度の単位時間当たりの変化に関する基準変化情報を記憶する記憶部を有するコンピュータが、所定の空間において測定される二酸化炭素の濃度を受け付ける受付ステップと、受付ステップによって受け付けた、第１時間における二酸化炭素の濃度と、第１時間よりも時間的に前の第２時間における二酸化炭素の濃度とに基づいて、濃度の変化を取得する取得ステップと、取得ステップによって取得される二酸化炭素の濃度変化と、記憶部に記憶される基準変化情報とに基づいて、所定の空間内に居る人の人数を推定する推定ステップと、推定ステップによって推定される人数を出力するよう制御する出力制御ステップと、を実行する。
【００１４】
一態様の情報処理プログラムは、コンピュータに、二酸化炭素の濃度の基準変化として、空間の広さ、空間の換気量及び空間の利用用途をパラメータとした、空間に１人が居る場合の二酸化炭素濃度の単位時間当たりの変化に関する基準変化情報を記憶する記憶機能と、所定の空間において測定される二酸化炭素の濃度を受け付ける受付機能と、受付機能によって受け付けた、第１時間における二酸化炭素の濃度と、第１時間よりも時間的に前の第２時間における二酸化炭素の濃度とに基づいて、濃度の変化を取得する取得機能と、取得機能によって取得される二酸化炭素の濃度変化と、記憶機能に記憶される基準変化情報とに基づいて、所定の空間内に居る人の人数を推定する推定機能と、推定機能によって推定される人数を出力するよう制御する出力制御機能と、を実現させる。
【発明の効果】
【００１５】
一態様の情報処理装置は、二酸化炭素の濃度の基準変化として、空間の広さ、空間の換気量及び空間の利用用途をパラメータとした、空間に１人が居る場合の二酸化炭素濃度の単位時間当たりの変化に関する基準変化情報を記憶する記憶部と、所定の空間において測定される二酸化炭素の濃度を受け付ける受付部と、受付部によって受け付けた、第１時間における二酸化炭素の濃度と、第１時間よりも時間的に前の第２時間における二酸化炭素の濃度とに基づいて、濃度の変化を取得する取得部と、取得部によって取得される二酸化炭素の濃度変化と、記憶部に記憶される基準変化情報とに基づいて、所定の空間内に居る人の人数を推定する推定部と、推定部によって推定される人数を出力するよう制御する出力制御部と、を備える。これにより、情報処理装置は、二酸化炭素の濃度に基づいて相対的に早期に室内に居る人の人数を推定することができる。
一態様の情報処理システム、情報処理方法及び情報処理プログラムは、上述した一態様の情報処理装置と同様の効果を奏することができる。
【図面の簡単な説明】
【００１６】
【図１】情報処理システムについて説明するための図である。
【図２】情報処理システムについて説明するためのブロック図である。
【図３】測定部によって測定される二酸化炭素の濃度の変化（上昇）の一例について説明するための図である。
【図４】表示部に表示されるピクトグラム（警告表示）の一例について説明するための第１の図である。
【図５】表示部に表示されるピクトグラム（警告表示）の一例について説明するための第２の図である。
【図６】表示部に表示されるピクトグラム（警告表示）の一例について説明するための第３の図である。
【図７】表示部に表示されるピクトグラム（警告表示）の一例について説明するための第４の図である。
【図８】表示部に表示されるピクトグラム（警告表示）の一例について説明するための第５の図である。
【図９】基準変化情報（テーブル）の一例について説明するための図である。
【図１０】二酸化炭素の濃度変化の一例について説明するための図である。
【図１１】一実施形態に係る情報処理方法について説明するためのフローチャートである。
【発明を実施するための形態】
【００１７】
以下、本発明の一実施形態について説明する。
本明細書では、「情報」の文言を使用しているが、「情報」の文言は「データ」と言い換えることができ、「データ」の文言は「情報」と言い換えることができる。
【００１８】
まず、情報処理システム１の概略について説明する。
図１は、情報処理システム１について説明するための図である。
【００１９】
情報処理システム１は、測定部１０及び情報処理装置２０を備える。
【００２０】
測定部１０は、二酸化炭素の濃度を測定する。例えば、測定部１０は、室内等の所定の空間内に配され、その空間内の二酸化炭素の濃度を測定する。測定部１０は、例えば、時間的に連続して又は間欠的に二酸化炭素の濃度を測定することとしてもよい。測定部１０は、時間的に間欠的に二酸化炭素の濃度を測定する場合、例えば、所定の間隔（又は、一定の間隔）毎に測定することとしてもよい。測定部１０は、例えば、空間内に１台配されてもよく、又は、空間内に複数台配されてもよい。
【００２１】
室内に人が居る場合、例えば、人が呼吸をすること等により室内の二酸化炭素濃度が上昇する。例えば、室内の二酸化炭素の濃度は、人が入室した時から徐々に増加し、時間の経過に応じて定常状態（略一定）になる。情報処理装置２０は、そのような二酸化炭素の濃度の変化（例えば、二酸化炭素の上昇率等）を基準変化として予め記憶する。二酸化炭素の濃度の基準変化は、例えば、空間の広さ（平面サイズ及び高さサイズ等）、その空間の換気量、及び、空間の利用用途（例えば、執務室、会議室、運動施設、教室、及び、大人・中人・小人等）をパラメータとしていてもよい。なお、上述した基準変化は、例えば、室内に１人（例えば、大人、中人及び小人等）が居る場合の二酸化炭素の濃度変化であってもよい。
【００２２】
情報処理装置２０は、例えば、コンピュータ（デスクトップ及びラップトップ等）、サーバ及びタブレット等であってもよい。情報処理装置２０は、測定部１０によって測定される二酸化炭素の濃度を受け付ける。情報処理装置２０は、例えば、時間的に異なる時に測定された複数の二酸化炭素の濃度に基づいて、二酸化炭素の濃度の変化（変化量）を取得することとしてもよい。情報処理装置２０は、測定部１０によって測定される二酸化炭素の濃度の変化（変化量）と、基準変化とに基づいて、測定部１０が配される空間に人が何人いるかを推定する。
【００２３】
次に、情報処理システム１について詳細に説明する。
図２は、情報処理システム１について説明するためのブロック図である。
【００２４】
測定部１０は、上述したように、室内の二酸化炭素の濃度を測定する。測定部１０は、測定した二酸化炭素の濃度に関する測定情報を時間的に連続して又は間欠的に外部に送信する。例えば、測定部１０は、予め設定された時間間隔毎に測定情報を外部に送信してもよい。測定部１０は、例えば、有線又は無線を利用した通信により測定情報を外部に送信してもよい。具体的な一例として、測定部１０は、ＬＰＷＡ（Ｌｏｗ  Ｐｏｗｅｒ  Ｗｉｄｅ  Ａｒｅａ）及びＷｉＦｉ（登録商標）等を利用して測定情報を外部に送信してもよい。測定部１０は、一例として、ＩｏＴ（Ｉｎｔｅｒｎｅｔ  ｏｆ  Ｔｈｉｎｇｓ）端末等であってもよい。測定部１０は、例えば、測定情報を情報処理装置２０に送信してもよく、外部サーバ（図示せず）等に送信してもよい。情報処理装置２０は、サーバ等に測定情報が蓄積される場合、所定のタイミングで外部サーバ等から測定情報を取得する。
例えば、測定部１０が複数有る場合、それぞれの測定部１０にはその測定部１０を識別するための識別情報が設定されていてもよい。この場合、測定部１０は、識別情報を測定情報に含ませて外部に送信することとしてもよい。
【００２５】
情報処理装置２０は、通信部２６、記憶部２７、表示部２８、受付部２２、取得部２３、推定部２４及び出力制御部２５を備える。受付部２２、取得部２３、推定部２４及び出力制御部２５は、情報処理装置２０の制御部２１（例えば、演算処理装置等）の一機能として実現されてもよい。
【００２６】
通信部２６は、外部にある装置との間で通信を行う。例えば、通信部２６は、測定部１０及び上述した外部サーバ（図示せず）との間で情報の送受信を行う。
【００２７】
記憶部２７は、種々の情報及びプログラムを記憶する。記憶部２７は、例えば、基準変化情報を記憶することとしてもよい。基準変化情報は、種々の条件（パラメータ）に応じた二酸化炭素の濃度の基準変化に関する情報である。より具体的には、基準変化情報は、空間の広さ、空間の換気量及び空間の利用用途をパラメータとした、空間に１人が居る場合の二酸化炭素濃度の単位時間当たりの変化に関する情報である。すなわち、基準変化情報は、例えば、室内の床面積、天井の高さ、室内の換気状態及びユーザの利用シーン（利用用途）等をパラメータとした、それぞれの場合に応じた二酸化炭素濃度の経時変化から算出される単位時間（例えば、１分間）当たりの二酸化炭素の濃度の上昇値（上昇率）を記録したテーブルに関する情報であってもよい。なお、基準変化情報の詳細については、後述する。
【００２８】
表示部２８は、例えば、文字、記号及び画像等を表示する。表示部２８は、一例として、Ｗｅｂブラウザ等を利用して文字、記号及び画像等を表示することとしてもよい。表示部２８は、例えば、出力制御部２５の制御に基づいて、測定部１０によって測定される二酸化炭素の濃度、後述する取得部２３によって取得される二酸化炭素の濃度の変化、後述する推定部２４によって推定される人数、及び、後述するような警告等を表示することが可能である。なお、表示部２８は、例えば、情報処理装置２０に配されてもよく、情報処理装置２０の外部にあってもよい。
【００２９】
受付部２２は、通信部２６を介して、測定情報を受け付ける。すなわち、受付部２２は、所定の空間において測定される二酸化炭素の濃度を受け付ける。受付部２２は、測定部１０によって時間的に間欠的に測定が行われる場合、所定の間隔で所定の空間で測定される二酸化炭素の濃度を受け付けることとしてもよい。
【００３０】
図３は、測定部１０によって測定される二酸化炭素の濃度の変化（上昇）の一例について説明するための図である。
取得部２３は、受付部２２によって受け付けた、第１時間における二酸化炭素の濃度と、第１時間よりも時間的に前の第２時間における二酸化炭素の濃度とに基づいて、濃度の変化を取得する。図３に一例として、取得部２３は、測定情報に基づく複数の時刻（…Ｔ−３，Ｔ−２，Ｔ−１，Ｔ…）において測定された二酸化炭素の濃度のうち、時刻（Ｔ−２）における二酸化炭素の濃度Ｍ１と、時刻（Ｔ）における二酸化炭素の濃度Ｍ２との変化量（Ｍ２−Ｍ１）を取得する。同様に、取得部２３は、時刻（Ｔ−３）における二酸化炭素の濃度Ｍ３と、時刻（Ｔ−１）における二酸化炭素の濃度Ｍ４との変化量（Ｍ４−Ｍ３）を取得する。なお、取得部２３は、上述した一例のように、２回前の二酸化炭素の濃度の測定結果を利用して濃度変化を取得するばかりでなく、例えば、１回前の二酸化炭素の濃度の測定結果を利用して濃度変化を取得してもよく、３回以上前の二酸化炭素の濃度の測定結果を利用して濃度変化を取得してもよい。
【００３１】
取得部２３は、２回の測定、すなわち上述した一例の場合では時刻（Ｔ）及び時刻（Ｔ−２）における測定により得られた二酸化炭素の濃度の変化（変化量（Ｍ２−Ｍ１））がプラスの場合（上昇を示す場合）には、室内の二酸化炭素の濃度が上昇していることを取得することとしてもよい。
又は、推定部２４は、４回の測定、すなわち上述した一例の場合では時刻（Ｔ）及び時刻（Ｔ−２）における測定により得られた二酸化炭素の濃度の変化（変化量（Ｍ２−Ｍ１））と、時刻（Ｔ−１）及び時刻（Ｔ−３）における測定により得られた二酸化炭素の濃度の変化（変化量（Ｍ４−Ｍ３））との両方がプラスの場合（上昇を示す場合）には、室内の二酸化炭素の濃度が上昇していることを取得することとしてもよい。
なお、取得部２３は、上述した例に限定されず、６回以上の測定に基づいて室内の二酸化炭素の濃度が上昇しているかを推定することとしてもよい。
【００３２】
なお、室内に人が居る場合には室内の二酸化炭素の濃度が上昇する。したがって、取得部２３は、二酸化炭素の濃度の変化として、第１時間における二酸化炭素の濃度と、第２時間における二酸化炭素の濃度とに基づく二酸化炭素の濃度の上昇率を取得することとしてもよい。すなわち、取得部２３は、受付部２２によって受ける時間的に複数の二酸化炭素の濃度に基づいて、単位時間当たりの二酸化炭素の濃度の変化量を取得することとしてもよい。一例として、取得部２３は、上述したように２回以上の測定に基づいて二酸化炭素の濃度が上昇していると推定される場合には、二酸化炭素の濃度の変化量（上昇率）を取得することとしてもよい。
【００３３】
具体的な一例として、上述した時刻（Ｔ−３）から時刻（Ｔ）までの二酸化炭素の濃度の測定において、測定間隔がＴｐの場合には、取得部２３は、単位時間（例えば、１分間）当たりの二酸化炭素の上昇率Ｕを以下の式（１）により算出することが可能である。
上昇率Ｕ＝（変化量（Ｍ２−Ｍ１）＋変化量（Ｍ４−Ｍ３））／２×Ｔｐ・・・（１）
なお、測定間隔Ｔｐは、一例として、１分間隔の場合には「１」となり、３分間隔の場合には「３」となる。なお、上述した「単位時間」は１分間に限定されることはなく、適宜設定される時間であってもよい。
【００３４】
なお、上述した取得部２３は、情報処理装置２０に配されるばかりでなく、測定部１０に配されてもよい。この場合、取得部２３は、例えば、測定部１０によって測定される室内の二酸化炭素の濃度に基づいて、第１時間における二酸化炭素の濃度と、第１時間よりも時間的に前の第２時間における二酸化炭素の濃度とに基づいて濃度の変化（二酸化炭素の濃度の変化量（上昇率））を取得し、その濃度の変化（二酸化炭素の濃度の変化量（上昇率））に関する情報を情報処理装置２０に送信してもよい。又は、取得部２３は、複数回取得した二酸化炭素濃度の平均値を情報処理装置２０に送信してもよい。
これにより、測定部１０によって二酸化炭素の濃度の測定を相対的に頻繁に行うことにより、二酸化炭素の濃度が上昇する相対的により初期の段階において、二酸化炭素の濃度変化（変化量（上昇率））を取得することができる。よって、情報処理装置２０は、二酸化炭素の濃度が上昇する相対的により初期の段階において、後述するように測定部１０が配される空間に人が何人いるかを推定することができる。
【００３５】
推定部２４は、取得部２３によって取得される二酸化炭素の濃度変化と、記憶部２７に記憶される基準変化情報とに基づいて、所定の空間内に居る人の人数を推定する。すなわち、推定部２４は、取得部２３によって取得された二酸化炭素の濃度の上昇率と、記憶部２７に記憶される基準変化情報に記録される単位時間における二酸化炭素の上昇率とに基づいて、所定の空間内に居る人の人数を推定することとしてもよい。具体的な一例として、推定部２４は、室内に人の人数を以下の式（２）により算出することが可能である。
推定人数＝（単位時間当たりの二酸化炭素の変化量（上昇率））／（基準変化情報（テーブル）から抽出される単位時間当たりの二酸化炭素の変化量（上昇率））・・・（２）
【００３６】
なお、推定部２４は、上述した式（２）から算出される数値を所定の空間内に居る人の人数と推定する。この場合、推定部２４は、例えば、上述した式から算出される数値の小数点以下を四捨五入することにより、又は、小数点以下を切り捨てることにより、所定の空間内に居る人の人数を推定することとしてもよい。また、推定部２４は、例えば、人数を推定する空間（室内）に関するパラメータ（例えば、空間の広さ（平面サイズ及び高さサイズ等）、その空間の換気量、及び、空間の利用用途等）に応じて適宜テーブルを選択して、所定の空間内に居る人の人数を推定することとしてもよい。
【００３７】
推定部２４は、取得部２３によって取得される単位時間（例えば、１分間）当たりの二酸化炭素濃度の変化量（上昇率）に基づいて、今後の二酸化炭素の濃度を推定することとしてもよい。すなわち、推定部２４は、現在の二酸化炭素の濃度及び上述した式（１）を利用して、Ｔｑ時間後の二酸化炭素の濃度を推定することが可能である。推定部２４は、以下の式（３）により、Ｔｑ時間後の二酸化炭素の濃度を推定する。
Ｔｑ時間後の二酸化炭素の濃度＝（現在の二酸化炭素濃度）＋（単位時間当たりの二酸化炭素濃度の変化量（上昇率））×Ｔｑ・・・（３）
【００３８】
出力制御部２５は、推定部２４によって推定される人数を出力するよう出力部を制御する。出力部は、例えば、上述した通信部２６、表示部２８及び記憶部２７等であってもよい。すなわち、出力制御部２５は、推定部２４によって推定される人数に関する情報を、外部（一例として外部サーバ及び外部端末等（図示せず））に送信するよう通信部２６を制御してもよい。また、出力制御部２５は、推定部２４によって推定される人数を表示するよう表示部２８を制御することとしてもよい。また、出力制御部２５は、推定部２４によって推定される人数に関する情報を記憶するよう記憶部２７を制御してもよい。
【００３９】
出力制御部２５は、推定部２４によって推定される二酸化炭素の濃度を出力するよう出力部を制御する。出力部は、例えば、上述した通信部２６、表示部２８及び記憶部２７等であってもよい。すなわち、出力制御部２５は、推定部２４によって推定される二酸化炭素の濃度に関する情報を、外部（一例として外部サーバ及び外部端末等（図示せず））に送信するよう通信部２６を制御してもよい。また、出力制御部２５は、推定部２４によって推定される二酸化炭素の濃度を表示するよう表示部２８を制御することとしてもよい。また、出力制御部２５は、推定部２４によって推定される二酸化炭素の濃度に関する情報を記憶するよう記憶部２７を制御してもよい。
【００４０】
出力制御部２５は、例えば、所定の空間内に居る人の推定される人数、及び、二酸化炭素の濃度を、Ｗｅｂアプリケーションを利用して表示部２８に表示する。これにより、出力制御部２５は、所定の空間内に居る人の人数が相対的に多いか（所定の空間内が人で密になっているか）を出力することが可能になる。また、出力制御部２５は、例えば、窓開け促進状態表示、二酸化炭素の濃度上昇状態表示（一例として、人が入っているピクトグラム等）、及び、定員超過状態表示（一例として、人が退出することを促すピクトグラム等）を表示部２８に表示することとしてもよい。
【００４１】
なお、上述した外部端末は、所定の空間内に有る端末であってもよい。例えば、外部端末がコンピュータ、スマートフォン及びタブレット等であり、所定の空間に通信に関するアクセスポイント（一例として、ＷｉＦｉ等の無線通信に関するアクセスポイント等）が有る場合、測定部１０に配される識別情報と、その測定部１０が配される所定の空間に配されるアクセスポイントの識別情報とを予め関連付けた関連付け情報を記憶部２７等に記憶しておいてもよい。
情報処理装置２０（出力制御部２５）は、例えば、測定部１０によって測定される二酸化炭素濃度の濃度に基づいて、上述したように所定の空間内に居る人の人数及び将来の二酸化炭素の濃度を推定した場合、記憶部２７に記憶される関連付け情報に基づいてその測定部１０が配される空間のアクセスポイントを特定し、そのアクセスポイントに通信に関する接続を行う外部端末に対して、推定される人数及び将来の二酸化炭素の濃度に関する情報を送信してもよい。
また例えば、情報処理装置２０は、後述するように、所定の空間に居る人の人数が閾値を超える場合、及び、所定の空間内の将来の二酸化炭素濃度が閾値を超える場合等に警告を行う場合でも、関連付け情報に基づいて、その所定の空間に配されるアクセスポイントと通信を行う外部端末に対して警告を出力することとしてもよい。
【００４２】
出力制御部２５は、推定部２４によって推定される人数が予め設定される第１閾値を超える場合に警告を出力するよう制御することとしてもよい。測定部１０が配される所定の空間には、人数の制限（例えば、定員等）が設定される場合がある。情報処理装置２０に配される入力部（図示せず）等を利用して所定の空間の定員が入力された場合、又は、記憶部２７に所定の空間の定員に関する情報が予め記憶される場合、情報処理装置２０（出力制御部２５）は、その定員を第１閾値として設定することとしてもよい。出力制御部２５は、推定部２４によって推定される人数が所定の空間の定員（第１閾値）を超える場合に警告を出力するよう出力部を制御してもよい。一例として、出力制御部２５は、所定の空間に居る人の人数が定員（第１閾値）を超える旨の警告、所定の空間に居る人の人数を減らす旨の警告、及び、所定の空間の換気を促す旨の警告等を表示するよう表示部２８を制御してもよい。また、出力制御部２５は、上述した警告を示す音声又は警告音を出力するようスピーカ（図示せず）（出力部）を制御してもよい。また、出力制御部２５は、例えば、電子メール等の通信ネットワークを介して通信可能な媒体により、上述した警告を外部端末に送信することしてもよい。
【００４３】
また、上述した第１閾値は多段階に設定される複数の値であってもよい。情報処理装置２０（出力制御部２５）には、所定の空間の床面積に基づいて複数の第１閾値が設定されてもよい。一例として、情報処理装置２０（出力制御部２５）には、所定の空間の床面積の５割を定員（床面積が２０ｍ２であれば１０名）とした値が設定され、その定員（１０名）を閾値Ａとすると共に、その定員の８割（８名）を閾値Ｂとした、複数の第１閾値が設定されてもよい。この場合、出力制御部２５は、推定部２４によって推定される人数が閾値Ｂ未満であれば「通常」である旨を出力し、推定部２４によって推定される人数が閾値Ｂ以上閾値Ａ未満であれば「注意」を示す警告を出力し、推定部２４によって推定される人数が閾値Ａ以上でれば人数及び換気等に関する改善を促す警告を出力してもよい。なお、出力制御部２５は、例えば、電子メール等の通信ネットワークを介して通信可能な媒体により、上述した警告を外部端末に送信することしてもよい。
【００４４】
出力制御部２５は、取得部２３によって取得される二酸化炭素の濃度の変化に基づいて、二酸化炭素の濃度が予め設定される第２閾値を超えると推定される場合に警告を出力するよう制御することとしてもよい。すなわち、出力制御部２５は、推定部２４によって推定されるＴｑ時間後の二酸化炭素の濃度が閾値を超えると推定される場合に、警告を出力するよう出力部を制御することとしてもよい。情報処理装置２０（出力制御部２５）は、上述した入力部（図示せず）等を利用して所定の空間が定員を満たす場合の二酸化炭素の濃度が入力された場合、又は、記憶部２７に所定の空間が定員を満たす場合の二酸化炭素の濃度に関する情報が予め記憶される場合、情報処理装置２０（出力制御部２５）は、その二酸化炭素濃度を第２閾値として設定することとしてもよい。一例として、出力制御部２５は、Ｔｑ時間後の二酸化炭素の濃度が第２閾値を超える旨の警告、Ｔｑ時間後までに所定の空間に居る人の人数を減らす旨の警告、及び、Ｔｑ時間後までに所定の空間の換気を促す旨の警告等を表示するよう表示部２８を制御してもよい。また、出力制御部２５は、上述した警告を示す音声又は警告音を出力するようスピーカ（図示せず）（出力部）を制御してもよい。また、出力制御部２５は、例えば、電子メール等の通信ネットワークを介して通信可能な媒体により、上述した警告を外部端末に送信することしてもよい。
【００４５】
図４〜８は、表示部２８に表示されるピクトグラム（警告表示）の一例について説明するための第１〜５の図である。
【００４６】
ピクトグラムは、人に行動を促すための表示である。図４〜８に示すピクトグラムは、あくまで一例であり、図４〜８に示すピクトグラム以外のその他のピクトグラムを表示することも可能であるし、表示内容を変える閾値設定についても変更することが可能である。また、幾つかの条件に合致してしまう場合もあるため、ピクトグラムの表示優先順位をつけ、又は、表示を交互に行うなどの処理をいれておくことも可能である。
【００４７】
出力制御部２５は、推定部２４によって推定される場合、すなわち、一例として、二酸化炭素の濃度が上昇していない場合で二酸化炭素の濃度が閾値以下の場合、及び、二酸化炭素の濃度が相対的に高い場合に窓等を開けて換気を行い、通常の二酸化炭素の濃度に戻った場合など、図４に一例を示すような、換気が十分であることを示すピクトグラム１０１を表示部２８に表示することとしてもよい。この場合、出力制御部２５は、例えば、測定部１０によって測定される二酸化炭素の濃度を、数値及びゲージ１０２により表示部２８に表示することとしてもよい。
【００４８】
出力制御部２５は、推定部２４によって推定される二酸化炭素の濃度の変化が設定閾値を超える場合、図５に一例を示すような、換気を促すピクトグラム１０３を表示部２８に表示することとしてもよい。上述した設定閾値は、例えば、８００ｐｐｍであってもよい。この場合、図４と同様に、出力制御部２５は、例えば、測定部１０によって測定される二酸化炭素の濃度を、数値及びゲージ１０４により表示部２８に表示することとしてもよい。
【００４９】
出力制御部２５は、推定部２４によって推定される場合、図６に一例を示すような、二酸化炭素の濃度が上昇していることを示すピクトグラム１０５を表示部２８に表示することとしてもよい。この場合、図４と同様に、出力制御部２５は、例えば、測定部１０によって測定される二酸化炭素の濃度を、数値及びゲージ１０６により表示部２８に表示することとしてもよい。出力制御部２５は、二酸化炭素の濃度が上昇していることを、人が室内に入る様子を示す画像と共に、数値及びゲージ１０６の増加により示すことができる。
【００５０】
出力制御部２５は、推定部２４によって推定される人数が定員に対する設定閾値を超える場合、図７に一例を示すような、所定の空間内に居る人の人数を減らすことを促す（退出を促す）ピクトグラム１０７を表示部２８に表示することとしてもよい。この場合、図４と同様に、出力制御部２５は、例えば、測定部１０によって測定される二酸化炭素の濃度を、人が室内から出ていく様子を示す画像と共に、数値及びゲージ１０８により表示部２８に表示することとしてもよい。
【００５１】
出力制御部２５は、推定部２４によって推定する場合、図８に一例を示すような、推定人数を表示するピクトグラムを表示部２８に表示することとしてもよい。例えば、出力制御部２５は、所定の空間の定員に対して予め１又は複数の閾値（一例として、定員の８割等）を設定しておき、推定部２４によって推定される人数が閾値Ｃ以下の場合に、背景を青色としたピクトグラムを表示部２８に表示してもよい。出力制御部２５は、推定部２４によって推定される人数が閾値Ｃを超える場合に、背景を黄色又は人数部分を黄色に変更してもよい。また、出力制御部２５は、推定部２４によって推定される人数が閾値Ｄ（閾値Ｃ＜閾値Ｄ）を超える場合、背景を赤色又は人数部分を赤色に変更してもよい。これにより、出力制御部２５は、現在の在室人数状態がどのようになっているか、例えば定員超えに対する警告を早期に通知することができる。
【００５２】
次に、基準変化情報について説明する。
図９は、基準変化情報（テーブル）の一例について説明するための図である。
【００５３】
図９に一例を示す場合では、基準変化情報（テーブル）には、利用者、部屋（空間）の広さ、部屋（空間）の換気量をパラメータとした、二酸化炭素の濃度変化（単位時間（例えば、１分間等）当たりの二酸化炭素の濃度の変化量（上昇率））が記録されている。図９に一例を示す場合の他に、基準変化情報（テーブル）は、上述したパラメータの他に、部屋（空間）の複数の利用状況（パラメータ）それぞれに応じた二酸化炭素の濃度変化を記録したものであってもよい。
【００５４】
例えば、空間の利用状況が会議室及び教室等の場合、図９に一例を示すような基準変化情報（テーブル）を作成してもよい。
この場合、基準変化情報（テーブル）には、例えば、利用者として大人１人（利用者）についての二酸化炭素の排出量を設定しておき、利用者として中人１人（利用状況が高校及び中学校の教室等）については、大人１人についての二酸化炭素の排出量に係数として「０．７」を乗じることにより得られた数値を二酸化炭素の排出量として設定してもよい。同様に例えば、利用者として小人１人（利用状況が小学校の教室等）については、大人１人についての二酸化炭素の排出量に係数として「０．５」を乗じることにより得られた数値を二酸化炭素の排出量として設定してもよい。
また、基準変化情報（テーブル）には、活動状態係数ａが設定されていてもよい。この場合、例えば、活動状態係数ａは、標準作業の場合に「１」の係数が設定され、ごく軽微な動きの場合に「２」の係数が設定され、軽微な動きの場合に「３」の係数が設定されてもよい。これにより、標準の大人１人の二酸化炭素排出量に対して、活動状態係数ａを乗じることにより、より正確な二酸化炭素排出量を設定することができる。
係数は、上記の一例の数値に限定されることはなく、所定の空間の利用状況等に応じて適宜数値が設定されてもよい。
【００５５】
また、図９に一例を示す基準変化情報（テーブル）には、部屋（空間）の広さ（例えば、床面積［ｍ２］及び高さ［ｍ］等）に応じて、二酸化炭素の排出量が設定されている。
また、図９に一例を示す基準変化情報（テーブル）には、部屋（空間）の換気量（換気状態）に応じて、二酸化炭素の排出量が設定されている。換気量（換気状態）には、例えば、「強」、「普通」、「弱」及び「換気無し」の４段階が設定されていてもよい。
【００５６】
なお、基準変化情報（テーブル）には、部屋（空間）の広さ（例えば、床面積のみ）が設定され、高さ（天井高さ）が設定されていない場合、部屋（空間）の広さと平均的な天井高さから、部屋（空間）の容積を求めてもよい。天井高さを入力し部屋（空間）の容積が決定できる場合には、容積用のテーブルを利用してもよい。同様に、利用状況についても、人の活動量から大人１人当たりの排出量の何倍かを決定することができるので、図９に例示の基準変化情報（テーブル）に、利用状況に応じた二酸化炭素の濃度の変化（上昇率）の値を増やすことが可能である。
【００５７】
図１０は、二酸化炭素の濃度変化の一例について説明するための図である。
上述した基準変化情報（テーブル）に記録される単位時間当たりの二酸化炭素の濃度の変化（上昇率）は、時間の経過と共に変化する。その変化（上昇率）は、例えば、種々の計算式を参考にして、予め実験等を行うことにより取得することが可能である。
【００５８】
まず、換気量をＱ［ｍ３／ｈ］、経過時間をｔ［ｈ］、部屋の容積をＶ［ｍ３］、二酸化炭素の発生量をＧ、部屋（空間）の初期の二酸化炭素の濃度をＣｓとすると、変化（上昇率）（Ｃ―Ｃｓ）は下式（４）により求められる。また、この場合の換気モデルの一例は、図１０に示すようになる。初期の二酸化炭素濃度Ｃｓが外気の場合、その値は４００ｐｐｍとなる。
【００５９】
【数１】
0006934553.tif 000002
…（４）
【００６０】
また、定常状態（ｔ＝∞）では、部屋（空間）の二酸化炭素濃度Ｃは下式（５）により求められる。
【００６１】
【数２】
0006934553.tif 000003
…（５）
【００６２】
また、二酸化炭素の発生量Ｇは下式（６）により求められる。
【００６３】
【数３】
0006934553.tif 000004
…（６）
ここで、呼気中の二酸化炭素の濃度をＣｅ（ここでは４６０００ｐｐｍとする。）、在室者数をｎ［人］、１人当たりの呼気発生量（安静時）をＲ［ｍ３／ｈ］（０．３９［ｍ３／ｈ］（６．５［Ｌ／ｍｉｎ］）とする）（着席事務作業を想定）とする。また、ｋは呼吸量係数であり、例えば、大人・大学生は１、中高生は０．７、小学生は０．５となる。したがって、式（６）は以下のようになる。
Ｇ＝０．０１７９４＊ｎ＊ｋ＊ａ［ｍ３／ｈ］  …（７）
上式から、人数に比例して二酸化炭素の発生量が増加することが分かる。
【００６４】
本実施形態においては、１人が発生する二酸化炭素の量（発生量Ｇ）は大人成人で一定であると仮定する。式（７）は、１人の場合の二酸化炭素の発生量であるが、２人であれば二酸化炭素の発生量は２倍になり、３人であれば二酸化炭素の発生量は３倍になる。また中高生であれば二酸化炭素の発生量は、例えば大人の７０％になり、小学生であれば二酸化炭素の発生量は、例えば大人の５０％になる。
【００６５】
ここで、定常状態になってから所定の空間に居る人の人数を推定しても時間的に遅くなってしまう。本実施形態では、早期に人数を推定するために（例えば、会議の開始時及び講義の開始時等で人数を推定する）、二酸化炭素の排出量、部屋（空間）の広さ、換気状態から求められる、「二酸化炭素の濃度の経時変化」を用いて二酸化炭素の濃度の上昇カーブを基準変化情報（テーブル）に予め記録しておく。
【００６６】
また、部屋（空間）の換気量Ｑについては、測定することが難しいため、予め設定した値を利用する。ここで、部屋（空間）の床面積当たり換気量をＱｆ［ｍ３／ｍ２・ｈ］とすると、下式（８）により換気量Ｑを求めることができる。
Ｑ＝Ｑｆ×Ｓ  …（８）
本実施形態では、換気量Ｑとして、換気が「強」の場合に３０の値を利用し、換気が「普通」の場合に７．２の値を利用し、換気が「弱」の場合に３．６の値を利用し、換気が「無し」の場合に１．３の値を利用する。
【００６７】
推定部２４は、上述したような基準変化情報（テーブル）と、測定部１０によって測定される二酸化炭素の濃度変化とに基づいて、単位時間当たりの二酸化炭素の濃度の変化（上昇率）を確定させ、測定部１０によって測定される二酸化炭素の濃度変化（所定の空間の単位時間当たりの二酸化炭素の濃度の変化（上昇率）と比較することで、人数を推定する。
すなわち、推定部２４は、図９に一例を示すような基準変化情報を利用して、所定の空間内に居る人の人数、及び、所定の空間の将来の二酸化炭素の濃度を推定する。この場合、推定部２４には、所定の空間に関するパラメータが入力される。推定部２４に入力されるパラメータは、基準変化情報に記録されるパラメータに対応するものであってよい。例えば、推定部２４には、推定を行う所定の空間の広さ（例えば、床面積及び高さ等）、利用状況（例えば、大人、中人及び小人等）、換気状態（例えば、強、普通、弱、無し等）、活動状態係数ａ（一例として、活動状態係数ａは、標準作業の場合に「１」、ごく軽微な動きの場合に「２」、軽微な動きの場合に「３」の係数が設定される。）のパラメータ（入力条件）が入力され、入力されたパラメータ（入力条件）と基準変化情報（テーブル）とを対照させることにより、基準変化情報（テーブル）から入力されたパラメータ（入力条件）に対応する単位時間当たりの二酸化炭素の変化（上昇率）を抽出する。
推定部２４は、取得部２３によって取得される二酸化炭素の濃度変化と、上記のように基準変化情報（テーブル）から抽出した単位時間当たりの二酸化炭素の濃度変化とに基づいて、所定の空間に居る人の人数、及び、所定の空間の将来の二酸化炭素濃度を推定することが可能である。
【００６８】
次に、一実施形態に係る情報処理方法について説明する。
図１１は、一実施形態に係る情報処理方法について説明するためのフローチャートである。
【００６９】
ステップＳＴ１０１において、測定部１０は、所定の空間内の二酸化炭素濃度を測定して、測定情報を生成する。
【００７０】
ステップＳＴ１０２において、受付部２２は、ステップＳＴ１０１において生成された測定情報を受け付ける。例えば、受付部２２は、測定部１０から送信される測定情報又はサーバに蓄積される測定情報を受け付ける。
【００７１】
ステップＳＴ１０３において、取得部２３は、ステップＳＴ１０２で受け付けた測定情報、すなわち、第１時間における二酸化炭素の濃度と、第２時間における二酸化炭素の濃度とに基づいて、二酸化炭素の濃度変化（上昇率）を取得する。
【００７２】
ステップＳＴ１０４において、推定部２４は、ステップＳＴ１０３で取得される二酸化炭素の濃度変化（上昇率）と、記憶部２７に記憶される基準変化情報（テーブル）とを比較する。この場合、推定部２４には、所定の空間の利用用途等が入力される。
【００７３】
ステップＳＴ１０５において、推定部２４は、ステップＳＴ１０４の比較に基づいて、所定の空間内に居る人の人数を推定する。また、推定部２４は、ステップＳＴ１０４の比較に基づいて、所定の空間内の将来の二酸化炭素の濃度を推定することとしてもよい。出力制御部２５は、推定部２４によって推定された人数及び将来の二酸化炭素の濃度を出力するよう制御してもよい。
【００７４】
ステップＳＴ１０６において、出力制御部２５は、ステップＳＴ１０５で推定される人数が第１閾値を超えるかを判断する。推定される人数が第１閾値を超える場合（Ｙｅｓ）、処理は、ステップＳＴ１０７に進む。推定される人数が第１閾値を超えない場合（Ｎｏ）、処理は終了する。
また、出力制御部２５は、ステップＳＴ１０５で推定される将来の二酸化炭素の濃度が閾値を超えるか、すなわち、ステップＳＴ１０３で取得される二酸化炭素の濃度の変化（上昇率）が第２閾値を超えるかを判断してもよい。将来の二酸化炭素の濃度が閾値を超える場合（上昇率が第２閾値を超える場合）（Ｙｅｓ）、処理は、ステップＳＴ１０７に進む。将来の二酸化炭素の濃度が閾値を超えない場合（上昇率が第２閾値を超えない場合）（Ｎｏ）、処理は終了する。
【００７５】
ステップＳＴ１０７において、出力制御部２５は、警告を出力する。一例として、出力制御部２５は、所定の空間に居る人の人数が定員を超える旨の警告、所定の空間に居る人の人数を減らす旨の警告、及び、所定の空間の換気を促す旨の警告等を表示するよう表示部２８を制御してもよい。また、出力制御部２５は、上述した警告を示す音声又は警告音を出力するようスピーカ（図示せず）（出力部）を制御してもよい。また、出力制御部２５は、例えば、電子メール等の通信ネットワークを介して通信可能な媒体により、上述した警告を外部端末に送信することしてもよい。
【００７６】
次に、本実施形態の効果について説明する。
情報処理装置２０は、基準変化情報を記憶する記憶部２７と、所定の空間において測定される二酸化炭素の濃度を受け付ける受付部２２と、受付部２２によって受け付けた、第１時間における二酸化炭素の濃度と、第１時間よりも時間的に前の第２時間における二酸化炭素の濃度とに基づいて、濃度の変化を取得する取得部２３と、取得部２３によって取得される二酸化炭素の濃度変化と、記憶部２７に記憶される基準変化情報とに基づいて、所定の空間内に居る人の人数を推定する推定部２４と、推定部２４によって推定される人数を出力するよう制御する出力制御部２５と、を備える。
ここで、建物内における室内においては、二酸化炭素の濃度を予め定められた基準値以下に保つことが求められている。建築物衛生法（ビル管理法）によれば、二酸化炭素の濃度を１０００ｐｐｍ以下にすることが求められている。一方、学校においても同様に、学校保健法による推奨値として、１５００ｐｐｍ以下にすることが求められている。このため従来から、二酸化炭素の濃度測定が定期的に実施されているが、常時計測されているものではない。昨今では、新型コロナウィルスの拡大にともない、人の密集を避けることが求められているが、その前提として室内の換気を十分に実施することが求められている。しかしながら、換気の指標が無いため、どのような換気を実施すれば良いかの目安が判らない状況である。このような状況において、室内の密集を避けること、換気を十分に実施することは喫緊の課題であった。また、従来システムでは、単に二酸化炭素の濃度測定値を示すということに限られており、環境状況の判断のために使用している場合が多かった。しかしながら、人が排出する二酸化炭素の濃度を用いることで、在室者の人数を把握し定員以上の人数がいるかどうかを早期に検出することが重要となる。
本実施形態の情報処理装置２０は、所定の空間内の二酸化炭素の濃度に基づいて、早期に室内に居る人の人数を推定することができる。また、本実施形態の情報処理装置２０は、室内に配される人感センサ及び監視カメラ等を利用して人数を把握することがないため、システムの構成を簡易にすることができ、所定の空間に居る人のプライバシを守ることができる。
【００７７】
情報処理装置２０では、取得部２３は、二酸化炭素の濃度の変化として、第１時間における二酸化炭素の濃度と、第２時間における二酸化炭素の濃度とに基づく二酸化炭素の濃度の上昇率を取得することとしてもよい。この場合、推定部２４は、取得部２３によって取得された二酸化炭素の濃度の上昇率と、記憶部２７に記憶される基準変化情報に記録される単位時間における二酸化炭素の上昇率とに基づいて、所定の空間内に居る人の人数を推定することとしてもよい。
所定の空間内に二酸化炭素濃度は、上述したように徐々に増加して、時間の経過と共に定常状態（略一定）となる。情報処理装置２０は、二酸化炭素の濃度の変化（上昇率）を取得するので、所定の空間内の二酸化炭素の濃度が徐々に増加する段階（定常状態になる前）の早期の段階で、人数を推定することができる。
同様に、情報処理装置２０は、二酸化炭素の濃度の変化（上昇率）を取得するので、所定の空間内の二酸化炭素の濃度が徐々に増加する段階（定常状態になる前）の早期の段階であっても、将来の二酸化炭素濃度を推定することができる。
【００７８】
情報処理装置２０では、出力制御部２５は、推定部２４によって推定される人数が予め設定される第１閾値を超える場合に警告を出力するよう制御することとしてもよい。
これにより、情報処理装置２０は、所定の空間内に居る人の人数を基準値以下にすることを促すことができる。すなわち、情報処理装置２０は、所定の空間内の二酸化炭素の濃度を基準値以下にすることができ、二酸化炭素の濃度に関して所定の空間を適切な環境にすることができる。
【００７９】
情報処理装置２０では、出力制御部２５は、取得部２３によって取得される二酸化炭素の濃度の変化に基づいて、二酸化炭素の濃度が予め設定される第２閾値を超えると推定される場合に警告を出力するよう制御することとしてもよい。
情報処理装置２０は、二酸化炭素の濃度の変化に基づいて、将来の二酸化炭素の濃度を推定することができる。情報処理装置２０は、変化量が第２閾値を超える場合、すなわち、推定される将来の二酸化炭素濃度が閾値を超える場合には警告を出力することができる。これにより、情報処理装置２０は、所定の空間内の二酸化炭素の濃度を基準値以下にすることができ、二酸化炭素の濃度に関して所定の空間を適切な環境にすることができる。
【００８０】
情報処理装置２０では、受付部２２は、所定の間隔で所定の空間で測定される二酸化炭素の濃度を受け付けることとしてもよい。取得部２３は、受付部２２によって受ける時間的に複数の二酸化炭素の濃度に基づいて、単位時間当たりの二酸化炭素の濃度の変化量を取得することとしてもよい。
これにより、情報処理装置２０は、所定の空間内の二酸化炭素の濃度が徐々に増加する段階（二酸化炭素の濃度が定常状態になる前）において、所定の空間内に居る人の人数及び所定の空間内の将来の二酸化炭素の濃度を推定することができる。
【００８１】
情報処理システム１は、情報を出力する出力部と、所定の空間の二酸化炭素の濃度を測定して測定情報を出力する測定部１０と、基準変化情報を記憶する記憶部２７と、測定部１０から測定情報を受け付ける受付部２２と、受付部２２によって受け付けた測定情報に基づいて、第１時間における二酸化炭素の濃度と、第１時間よりも時間的に前の第２時間における二酸化炭素の濃度とを取得し、第１時間及び第２時間における濃度の変化を取得する取得部２３と、取得部２３によって取得される二酸化炭素の濃度変化と、記憶部２７に記憶される基準変化情報とに基づいて、所定の空間内に居る人の人数を推定する推定部２４と、推定部２４によって推定される人数を出力部から出力するよう制御する出力制御部２５と、を備える。
これにより、情報処理システム１は、所定の空間内の二酸化炭素の濃度に基づいて、早期に室内に居る人の人数を推定することができる。
また情報処理システム１は、測定部１０が複数有る場合でも、例えば測定情報に測定部１０を識別する識別情報を含ませることにより、どの測定部１０によって測定された二酸化炭素の濃度に基づいて推定された人数（将来の二酸化炭素濃度）なのか特定することができる。例えば、情報処理システム１は、複数の空間それぞれに測定部１０が配される場合には、どの空間において人数（将来の二酸化炭素の濃度）が推定されたのか特定することができる。
【００８２】
情報処理方法では、基準変化情報を記憶する記憶部２７を有するコンピュータが、所定の空間において測定される二酸化炭素の濃度を受け付ける受付ステップと、受付ステップによって受け付けた、第１時間における二酸化炭素の濃度と、第１時間よりも時間的に前の第２時間における二酸化炭素の濃度とに基づいて、濃度の変化を取得する取得ステップと、取得ステップによって取得される二酸化炭素の濃度変化と、記憶部２７に記憶される基準変化情報とに基づいて、所定の空間内に居る人の人数を推定する推定ステップと、推定ステップによって推定される人数を出力するよう制御する出力制御ステップと、を実行する。
これにより、情報処理方法は、所定の空間内の二酸化炭素の濃度に基づいて、早期に室内に居る人の人数を推定することができる。
【００８３】
情報処理プログラムは、コンピュータに、基準変化情報を記憶する記憶機能と、所定の空間において測定される二酸化炭素の濃度を受け付ける受付機能と、受付機能によって受け付けた、第１時間における二酸化炭素の濃度と、第１時間よりも時間的に前の第２時間における二酸化炭素の濃度とに基づいて、濃度の変化を取得する取得機能と、取得機能によって取得される二酸化炭素の濃度変化と、記憶機能に記憶される基準変化情報とに基づいて、所定の空間内に居る人の人数を推定する推定機能と、推定機能によって推定される人数を出力するよう制御する出力制御機能と、を実現させる。
これにより、情報処理プログラムは、所定の空間内の二酸化炭素の濃度に基づいて、早期に室内に居る人の人数を推定することができる。
【００８４】
上述した情報処理装置２０の各部は、コンピュータの演算処理装置等の機能として実現されてもよい。すなわち、情報処理装置２０の受付部２２、取得部２３、推定部２４及び出力制御部２５は、コンピュータの演算処理装置等による受付機能、取得機能、推定機能及び出力制御機能としてそれぞれ実現されてもよい。
情報処理プログラムは、上述した各機能をコンピュータに実現させることができる。情報処理プログラムは、外部メモリ又は光ディスク等の、コンピュータで読み取り可能な非一時的な記録媒体に記録されていてもよい。
また、上述したように、情報処理装置２０の各部は、コンピュータの演算処理装置等で実現されてもよい。その演算処理装置等は、例えば、集積回路等によって構成される。このため、情報処理装置２０の各部は、演算処理装置等を構成する回路として実現されてもよい。すなわち、情報処理装置２０の受付部２２、取得部２３、推定部２４及び出力制御部２５は、コンピュータの演算処理装置等を構成する受付回路、取得回路、推定回路及び出力制御回路として実現されてもよい。
また、情報処理装置２０の通信部２６、表示部２８及び記憶部２７（出力部）は、例えば、演算処理装置等の機能を含む通信機能、表示機能及び記憶機能（出力機能）として実現されもよい。また、情報処理装置２０の通信部２６、表示部２８及び記憶部２７（出力部）は、例えば、集積回路等によって構成されることにより通信回路、表示回路及び記憶回路（出力回路）として実現されてもよい。また、情報処理装置２０の通信部２６、表示部２８及び記憶部２７（出力部）は、例えば、複数のデバイスによって構成されることにより通信装置、表示装置及び記憶装置（出力装置）として構成されてもよい。
また、測定部１０は、例えば、演算処理装置等の機能を含む測定機能として実現されもよい。また、測定部１０は、例えば、集積回路等によって構成されることにより測定回路として実現されてもよい。また、測定部１０は、例えば、複数のデバイスによって構成されることにより測定装置として構成されてもよい。
【符号の説明】
【００８５】
１  情報処理システム
１０  測定部
２０  情報処理装置
２１  制御部
２２  受付部
２３  取得部
２４  推定部
２５  出力制御部
２６  通信部（出力部）
２７  記憶部（出力部）
２８  表示部（出力部）
【要約】
【課題】二酸化炭素の濃度に基づいて早期に室内に居る人の人数を推定することができる情報処理装置、情報処理システム、情報処理方法及び情報処理プログラムを提供する。
【解決手段】情報処理装置は、二酸化炭素の濃度の基準変化として、空間の広さ等をパラメータとした、空間に１人が居る場合の二酸化炭素濃度の単位時間当たりの変化に関する基準変化情報を記憶する記憶部と、所定の空間において測定される二酸化炭素の濃度を受け付ける受付部と、受付部によって受け付けた、第１時間における二酸化炭素の濃度と、第１時間よりも時間的に前の第２時間における二酸化炭素の濃度とに基づいて、濃度の変化を取得する取得部と、取得部によって取得される二酸化炭素の濃度変化と、記憶部に記憶される基準変化情報とに基づいて、所定の空間内に居る人の人数を推定する推定部と、推定部によって推定される人数を出力するよう制御する出力制御部と、を備える。
【選択図】図１【図１】
0006934553.tif 000005
【図２】
0006934553.tif 000006
【図３】
0006934553.tif 000007
【図４】
0006934553.tif 000008
【図５】
0006934553.tif 000009
【図６】
0006934553.tif 000010
【図７】
0006934553.tif 000011
【図８】
0006934553.tif 000012
【図９】
0006934553.tif 000013
【図１０】
0006934553.tif 000014
【図１１】
0006934553.tif 000015